(57)【要約】  【課題】  嫌気性物質を含有する原液を、空気中の酸素の影響による変色または劣化を受けることなく、低コストで安定に輸送または貯蔵することができるタンクコンテナ及びその使用方法を提供する。  【解決手段】  タンクコンテナ１は、嫌気性物質を含有する原液を収容するためのタンク本体１０，タンク本体１０の上部開口部を密閉するための蓋体２０，及び酸素吸収体を収容するための収容ケース３０等から構成される。収容ケース３０は、タンク本体１０内の原液の液面と蓋体２０の内面との間のヘッドスペースに配置される。当該収容ケース３０には、酸素吸収剤を耐油性シートにより包装した袋状の酸素吸収体が複数収容されており、この酸素吸収剤によってヘッドスペース内の酸素が吸収除去される。収容ケース３０の構造としては、空気の流動性が良好な網目構造あるいは多数の小孔を有するもの等が好ましい。  【選択図】  図１
2005035667.tif 000002
【特許請求の範囲】
【請求項１】
嫌気性物質を含有する原液を収容するためのタンク本体と、
該タンク本体の上端に設けられた開口部と、
該開口部を閉塞するための蓋体と、
酸素吸収剤を封入した袋状の酸素吸収体を複数収容するための収容ケースと、を備えたタンクコンテナであって、
前記収容ケースは、前記タンク本体の開口部近傍又は前記蓋体に取り付けられ、
前記収容ケースの少なくとも一部は、通気性を有する構造からなることを特徴とするタンクコンテナ。
【請求項２】
前記通気性を有する構造が網目構造であり、該網目構造の少なくとも一部を波形状に形成することにより、該網目構造の表面積を大きくしたことを特徴とする請求項１記載のタンクコンテナ。
【請求項３】
前記収容ケースの側面又は底面に、開閉可能な取り替え扉を設けたことを特徴とする請求項１又は請求項２に記載のタンクコンテナ。
【請求項４】
前記網目の大きさが、前記酸素吸収体の短辺の長さの７０％以下の大きさに形成されたことを特徴とする請求項１〜３のいずれかに記載のタンクコンテナ。
【請求項５】
嫌気性物質を含有する原液を収容するためのタンク本体と、該タンク本体の上端に設けられた開口部を閉塞するための蓋体と、酸素吸収剤を封入した袋状の酸素吸収体を複数収容するための収容ケースとを備え、前記収容ケースが前記開口部近傍又は前記蓋体に取り付けられ、前記収容ケースの少なくとも一部が通気性を有する構造からなるタンクコンテナの使用方法であって、
前記嫌気性物質を含有する原液を注入する際に、該原液の液面と前記蓋体の内面との間にヘッドスペースを確保し、
該ヘッドスペース内に前記収容ケースが位置するようにしたことを特徴とするタンクコンテナの使用方法。
【請求項６】
前記ヘッドスペースの容量が、前記タンク本体の全容量の２〜２０％の容量となるように、前記嫌気性物質を含有する原液を前記タンク本体に注入することを特徴とする請求項５に記載のタンクコンテナの使用方法。
【発明の詳細な説明】
【技術分野】
【０００１】
本発明は嫌気性物質を含有する組成物を収容するためのタンクコンテナ及びその使用方法に関し、詳しくは、大気中の酸素の影響により変色または劣化の恐れのある嫌気性物質を含有する原液を安定に輸送または貯蔵できるタンクコンテナ及びその使用方法に関する。
【背景技術】
【０００２】
染毛剤、パーマネントウエーブ用剤等は、いわゆる嫌気性物質を含有しており、大気中の酸素と接触すると変色または劣化する恐れがある。従って、これらの原液を輸送又は貯蔵する場合には、大気中の酸素と接触しないよう十分な配慮をする必要がある。
【０００３】
従来、上記のような嫌気性物質を含む原液を、製造施設とは離れた別の施設に輸送して小分け充填する場合には、例えば、原液をオーバーフローさせ、タンクコンテナ内の空気を完全に追い出すことが行われていた。また、タンクコンテナ内にヘッドスペース部（空間部）を設けて輸送又は貯蔵する場合には、当該ヘッドスペース部を減圧し、不活性なガスで置換する方法を繰り返すことにより空気を除去することが行われていた。
【発明の開示】
【発明が解決しようとする課題】
【０００４】
しかしながら、前者の方法をとった場合には、オーバーフローさせる際に原液が溢れ出してしまうためそのロスが大きく、またタンクコンテナ外面の洗浄に手間がかかり非常に不経済であるという問題があった。一方、後者の方法をとった場合には、タンクコンテナ内を充分に減圧できるようタンクコンテナ自体の剛性を強化する必要があるため、コンテナ自体のコストが非常に高くなってしまうという問題があった。またこの場合、タンクコンテナ内の空気を不活性ガスで置換する工程が必要となり、この工程にかかる経費が嵩むという問題があった。
【０００５】
本発明は、嫌気性物質を含有する原液を、空気中の酸素の影響による変色または劣化を受けることなく、低コストで安定に輸送または貯蔵することができるタンクコンテナ及びその使用方法を提供することを目的とする。
【課題を解決するための手段】
【０００６】
上記課題に鑑みてなされた本願請求項１記載のタンクコンテナは、嫌気性物質を含有する原液を収容するためのタンク本体と、該タンク本体の上端に設けられた開口部と、該開口部を閉塞するための蓋体と、酸素吸収剤を封入した袋状の酸素吸収体を複数収容するための収容ケースとを備えたタンクコンテナであって、
上記収容ケースは、上記蓋体又は上記タンク本体の開口部近傍に取り付けられ、上記収容ケースの少なくとも一部は、通気性を有する構造からなることを特徴とする。
【０００７】
上記収容ケースには、活性酸化鉄、多価フェノール類等の酸素吸収剤を耐油性シートにより包装した酸素吸収体が複数収容されており、この酸素吸収剤によってタンクコンテナ内の酸素が吸収除去される。収容ケースの形態としては、酸素吸収剤が脱落せず、かつ空気の流動性が良好な網目形状等が採用される。
【０００８】
上記構成によれば、酸素吸収剤が収容された上記収容ケースを装着するだけで、嫌気性物質を含有する原液の変色又は劣化が防止され、当該原液を安定に輸送又は貯蔵することができる。また、従来行っていた原液のオーバフロー、あるいは、不活性ガスによる置換等を行う必要がなく、低コストで原液の品質を良好に保持することができる。
【０００９】
また、本願請求項２に記載のように、上記網目構造は、少なくともその一部が波形状に形成されることが好ましい。このような構成をとれば、網目構造の表面積が大きくなるため、収容ケース内に収容した酸素吸収体とヘッドスペース内の酸素との接触面積を大きくとることができる。このため、酸素吸収剤による酸素吸収効率が高められるという効果が得られる。
【００１０】
更に、本願請求項３に記載のように、上記収容ケースの側面又は底面に、開閉可能な取り替え扉を設けたものでもよい。このような構成をとれば、酸素吸収体の取り替えの際に収容ケースを蓋体等からいちいち取り外す必要がなくなり、当該取り替え扉を開閉するだけで、取り替え作業が容易に行われる。
【００１１】
また、本願請求項４に記載のように、上記網目の大きさ（網目の空間部分の最大長の部分）は、上記酸素吸収体の短辺の長さの７０％以下の大きさに形成されることが好ましい。酸素吸収体が網目から脱落するのを確実に防止するためである。
【００１２】
上記タンクコンテナに嫌気性物質を含有する原液を注入する際には、本願請求項５に記載のように、上記原液の液面と上記蓋体の内面との間にヘッドスペースを確保し、このヘッドスペースに上記収容ケースが位置するようにする。好ましくは、本願請求項６に記載のように上記ヘッドスペースの容量が、上記タンク本体の全容量の２〜２０％の容量となるように、上記嫌気性物質を含有する原液を上記タンク本体に注入するとよい。この場合、上記タンク本体には嫌気性物質を含有する原液が全容量の８０〜９８％の容量で注入される。
【００１３】
このように原液の量を設定するのは、上記ヘッドスペースの容量がタンク本体の全容量の２０％を越えると、酸素吸収剤の所要量が膨大となって不経済となり、しかもその効果が十分得られなくなるからであり、一方、ヘッドスペースの容量がタンク本体の全容量の２％を下回ると、原液輸送時の揺動により液漏れの恐れがあるからである。このように、タンクコンテナに収容する原液の量を調整することにより、当該原液を安定かつ経済的に輸送又は貯蔵することができる。
【発明を実施するための最良の形態】
【００１４】
以下、本発明の好適な実施例を図面に基づいて説明する。なお、本発明の実施の形態は、下記の実施例に限定されることなく、本発明の技術的範囲に属する限り種々の形態をとりうることはいうまでもない。
【００１５】
図１に本実施例にかかるタンクコンテナの正面図、図２にその平面図を示す。
図１に示すように、タンクコンテナ１は、嫌気性物質を含有する染毛剤等の原液を収容するためのタンク本体１０，タンク本体１０上部の開口部を密閉するための蓋体２０，及びタンク内の酸素を吸収除去する酸素吸収体を内部に収容する収容ケース３０等から構成されている。
【００１６】
タンク本体１０は、略円筒状のタンク胴部１１，タンク胴部１１が上方に縮管し、その上端に開口部を有するタンク上部１２，及びタンク胴部１１が下方に縮管し、その下端に排出口を有するタンク下部１３から構成される。また、タンク上部１２には原液を注入するための注入口１４が設けられ、更に、タンク下部１３の排出口には配管１５が接続され、その先端部には原液を排出するときに開放される原液排出用バルブ４０が装着されている。
【００１７】
蓋体２０は、タンク上部１２の開口部に適合する大きさを有する円盤形状に形成され、図２に示すように、一端に取っ手２１が他端にヒンジ部２２がそれぞれ設けられている。タンク本体１０を閉塞した蓋体２０を開ける際には、上記取っ手２１を上方に持ち上げると同時に、蓋体２０をヒンジ部２２を回動軸として回動させることにより、蓋体２０を開口部から離間させる。
【００１８】
図１に戻り、収容ケース３０は、タンク本体１０内の原液の液面と蓋体２０の内面との間のヘッドスペースに配設される。当該収容ケース３０には、酸素吸収剤を耐油性シートにより包装した袋状の酸素吸収体（図３（ｃ）参照）が複数収容されており、この酸素吸収剤によってヘッドスペース内の酸素が吸収除去される。収容ケース３０の形態は、酸素吸収剤が脱落せず、かつ空気の流動性が良好な網目構造あるいは多数の小孔を有する構造等が好ましい。図３には、当該収容ケース３０として網目構造を採用した例が示されている。
【００１９】
図３（ａ）に示すように、収容ケース３０ａは、複数の網目３５ａを備える篭状の本体３１ａを有する。この網目３５ａの大きさ（網目の空間部分の最大長）は、酸素吸収体の短辺よりも小さければよいが、酸素吸収体が網目から脱落するのを確実に防止するためには、酸素吸収体の短辺の長さの７０％以下の大きさに形成することが好ましい。また、収容ケース３０ａの材質は染毛剤等の原液の液性に対し、耐腐食性を有するものであればよい。例えば、ステンレス鋼、アルミニウム、プラスチック、あるいは金属製材料を樹脂コートしたもの等が考えられる。
【００２０】
収容ケース３０ａの上端縁の角隅部からは一対の棒状突出部３２ａ及び３４ａがそれぞれ互いに逆向きに延出している。蓋体２０には、上記一対の棒状突出体３２ａ及び３４ａを挿通するための図示しない４つの透孔が設けられており、この透孔に棒状突出部３２ａ，３４ａを挿入することにより、収容ケース３０ａが蓋体２０に対して装着固定される。
【００２１】
また、図３（ｂ）に示すように、収容ケース３０ｂとして、その上端縁から一対の板状突出部３２ｂを互いに逆向きに延出させた構成を採用してもよい。この場合、蓋体２０には上記一対の板状突出部３２ｂを挿通するための図示しない２つのスリットが設けられる。
【００２２】
図４（ａ）には、上記収容ケース３０の概略構成が示されている。このように、収容ケース３０の形状を単純な篭形状としてもよいが、これを変形し、図４（ｂ）に示すように、収容ケース３０ｃの底面の形状を波形状に構成してもよい。このように、底面を波形状に形成することにより、底面の表面積が大きくなるため、収容ケース３０ｃ内の酸素吸収体とヘッドスペース内の酸素との接触面積を大きくとることができる。このため、酸素吸収剤による酸素吸収効率が高められるという効果が得られる。
【００２３】
また、図４（ｃ）に示すように、収容ケース３０ｄの側面の一部に、取り替え扉３６ｄを設けてもよい。この取り替え扉３６ｄは、四角形状の枠体に金属メッシュを装着して構成される。この場合、収容ケース３０ｄの側面には取り替え扉３６ｄと同形状の開口部３７ｄと、開口部３７ｄの一部を形成する棒状の軸部材３８ｄとが設けられる。取り替え扉３６ｄは、上記軸部材３８ｄを回動軸として回動可能に装着される。このように、取り替え扉３６ｄを設けることにより、酸素吸収体の取り替えの際に、収容ケース３０ｄを蓋体２０に取りつけたままの状態で取り替え作業を行うことができる。
【００２４】
なお、本実施例のタンク本体１０、収容ケース３０等の形状等は上記のものに限られず、種々の態様をとることが可能である。例えば、収容ケース３０の網目構造は、上記に示したように収容ケース３０の全体に設ける必要は必ずしもなく、収容ケース３０の少なくとも一部に設けられ、通気性が確保されればよい。ただし、収容ケース３０内に原液が入り込んだ場合に、収容ケース３０内に原液が貯留することがないように、少なくともその底部の一部が網目構造であることが好ましい。また、上記収容ケース３０は、蓋体２０の内側に装着する態様で構成したが、タンク本体１０の開口部付近に取り外し可能に取り付けられる構成としてもよい。
【００２５】
このように、酸素吸収体を収容ケース３０に収容した状態で取り付ける構造をとることにより、当該酸素吸収体が輸送時等に脱落して原液に混入する等の恐れがなく、また、その取り替えも容易に行うことができる。
【００２６】
以下、本実施例に係るタンクコンテナ１の使用方法について説明する。
図１に示すように、タンクコンテナ１の使用に際しては、タンク本体１０内の原液の液面と蓋体２０の内面との間のヘッドスペース（タンク内の空間部）が確保され、このヘッドスペースに収容ケース３０が位置するようにされる。具体的には、タンク本体１０の全容量の２〜２０％がヘッドスペースとして割り当てられる。すなわち、上記タンク本体１０には、嫌気性物質を含有する原液が全容量の８０〜９８％の容量で注入される。このように原液の量を設定したのは、ヘッドスペースがタンク本体１０の全容量の２０％を越えると、酸素吸収剤の所要量が膨大となって不経済となり、しかもその効果が十分得られなくなるからであり、一方、ヘッドスペースがタンク本体１０の全容量の２％を下回ると、原液輸送時の揺動により液漏れの恐れがあるからである。さらに好ましくは、ヘッドスペースをタンク本体１０の全容量の５〜１０％の範囲に設定するのがよい。この範囲では酸素吸収剤の効果が最も経済的かつ効果的に得られ、輸送時における液漏れの恐れもないからである。
【００２７】
また、本実施例に使用される酸素吸収剤としては、活性酸化鉄、鉄粉等の金属粉、硫酸第一鉄、塩化第一鉄等の第一鉄塩、レゾルシン、カテキン、カテコール、タンニン、タンニン酸、ハイドロキノン、ピロガロール、没食子酸等の多価フェノール類、亜硫酸、亜硫酸水素、アスコルビン酸、イソアスコルビン酸、エリソルビン酸、チオグリコール酸、亜二チオン酸およびその塩類、活性炭、ソルボース、グルコース、リグニン、ジブチルヒドロキシトルエン、ブチルヒドロキシアニソール等が挙げられる。これらの中でも活性酸化鉄および多価フェノール類はその高酸素吸収性能から好ましい。また多価フェノール類は万一、包装体が破損した場合でも熱を発生しないことから更に好ましい。
【００２８】
酸素吸収剤の量は、充填した原液の内容量やヘッドスペースの空間体積によるが、基本的には酸素吸収容量が該空間体積中の酸素ガスをゼロにすることが可能な量を越える量であり、特にそれ以上の制限はないが、該空間体積中の酸素ガスをゼロにするに足る量の１．２倍以上であることが好ましい。例えば、タンクコンテナの総容量が１０００リットルである場合、ヘッドスペース１０〜１００リットル当たり酸素吸収剤１ｋｇ、好ましくはヘッドスペース２０〜７０リットル当たり酸素吸収剤１ｋｇの量を使用することが、酸素吸収効果の点から好ましい。
【００２９】
これらの酸素吸収剤は、必要に応じ、フィラーと混合あるいは固着して粉末状、粒状、球状、タブレット状、板状等の形にし、通気性材料に包装して用いられる。
酸素吸収剤を包装するための通気性材料としては、タンクコンテナに収容する原液の液性から、耐水耐油性の材質が好ましく、ポリエチレン（ＰＥ），ポリプロピレン（ＰＰ），ポリエステル，ポリアミド，ポリ塩化ビニル、ナイロン、ポリエチレンテレフタレート等のフィルム、およびそれらに多数の微孔を設けた多孔フィルム（以下「微多孔フィルム」という）と紙との積層材料等が用いられるが、これらの中でも微多孔フィルムと紙との積層材料が特に好ましい。この積層構造は、通気性を有し、かつ液体を透過させず、耐水耐油性にも優れているためである。例えば、内側フィルムとしてポリエチレンなどの低温熱溶融性フィルム、外側フィルムとしてポリプロピレン，ポリエステル，ナイロンなどの高温熱溶融性フィルムを用い、その間に硫酸紙を挟み込んで接着した積層フィルムにより、カテキンや活性酸化鉄などの酸素吸収剤を熱シールして密封したものが挙げられる。微多孔フィルムに挟み込む紙としては、硫酸紙、擬硫酸紙、パラフィン紙、アスファルト紙、渋紙等が挙げられるが、耐水耐油性の点から硫酸紙、擬硫酸紙が好ましい。
【００３０】
また、上記フィルムの細孔の直径は通気性を有し、かつフィルムの耐水耐油性の点から０．０１〜１ｍｍの範囲が好ましい。細孔の直径が０．０１ｍｍより小さいと通気性が悪くなり十分な酸素吸収効果が得られない一方、１ｍｍよりも大きいとフィルムの耐水耐油性が悪くなるからである。本実施例においては、フィルムの厚さは１〜５００μｍに形成され、直径０．０１〜１ｍｍの細孔が１ｃｍ2あたり１０〜５００個の割合で設けられている。
【００３１】
なお、嫌気性物質を含有する原液としては、酸化染毛剤第１剤、染毛剤用染料原液およびパーマネントウエーブ用剤第１剤等が挙げられる。
酸化染毛剤第１剤としては、嫌気性物質である酸化染料中間体およびカップラーを含有し、酸化染料中間体としては、パラフェニレンジアミン類、パラトルイレンジアミン類、アミノフェノール類、アミノニトロフェノール類、ジフェニルアミン類、ジアミノフェニルアミン類、Ｎ−フェニルフェニレンジアミン類、ジアミノピリジン類等及びそれらの塩類が挙げられ、カップラーとして、ピロガロール、カテコール、メタフェニレンジアミン、１−ナフトール等が挙げられる。また、上記物質の他、「医薬部外品原料規格」（薬事日報社、１９９１年６月発行）に収載されたものを用いることができる。
【００３２】
酸化染毛剤第１剤としてフェノール性水酸基及び／またはニトロ基を有する酸化染料中間体および／またはカプラーを配合する場合、さらにＨＬＢ１６以上の非イオン界面活性剤を用いることにより、泡の状態及び低温安定性の面で優れた効果を得ることができ、酸素吸収剤による安定化のより高い効果を得ることができる。ＨＬＢ１６以上の非イオン界面活性剤としては、ＰＯＥ（２０）セチルエーテル、ＰＯＥ（２３）セチルエーテル、ＰＯＥ（２５）セチルエーテル、ＰＯＥ（３０）セチルエーテル、ＰＯＥ（４０）セチルエーテル、ＰＯＥ（２０）ベヘニルエーテル、ＰＯＥ（３０）ベヘニルエーテル、ＰＯＥ（１５）オレイルエーテル、ＰＯＥ（２０）オレイルエーテル、ＰＯＥ（３０）オレイルエーテル、ＰＯＥ（５０）オレイルエーテル、ＰＯＥ（２１）ラウリルエーテル、ＰＯＥ（２５）ラウリルエーテル、ＰＯＥ（９）ノニルフェニルエーテル、ＰＯＥ（１０）ノニルフェニルエーテル、ＰＯＥ（１５）ノニルフェニルエーテル、ＰＯＥ（１８）ノニルフェニルエーテル、ＰＯＥ（２０）ノニルフェニルエーテル、ＰＯＥ（２５）ノニルフェニルエーテル、ＰＯＥ（３０）オクチルフェニルエーテルなどが挙げられ、その配合量は０．５〜５重量％であり、０．５重量％よりも少ないと低温安定性が悪くなる恐れがあり、５重量％よりも多いと粘度の経時変化が大きくなる恐れがある。
【００３３】
また、染毛剤用染料原液としては、上記の酸化染料中間体およびカップラーの染料原液が挙げられ、パーマネントウエーブ用剤第１剤としては、チオグリコール酸アンモニウム、システインなどの還元剤を含む通常のものが挙げられる。
【００３４】
本願出願人は、本発明に係るタンクコンテナを使用した場合の効果を確認するための実験を行ったので、以下にその結果を示す。
本実験においては、表１に示す実施例１〜８及び比較例１〜３の条件のタンクコンテナ（１０００リットル容量）を各々用意し、この各々のタンクコンテナに酸化染毛剤第１剤を１０００ｋｇ収容し、トラックにて約１５０ｋｍの距離を約４時間かけて輸送した。そして、輸送後の原液の保存安定性及び輸送直後の液漏れの有無を調査した。なお、今回使用した酸化染毛剤第１剤の処方例を表２に示す。
【００３５】
【表１】
2005035667.tif 000003
【００３６】
【表２】
2005035667.tif 000004
【００３７】
表１に示す通り、実施例１，２，４〜６及び比較例１〜３は原液の充填量を変え、実施例３は酸素吸収剤の重量を変え、実施例７，８は酸素吸収剤の種類を変えて実験を行った。原液の変色および液漏れの評価については表３及び表４の基準で行い、その結果が表１に示されている。なお、比較例２は原液をオーバーフローさせてヘッドスペースを無くし、比較例３はヘッドスペースの空気を従来の方法により不活性ガスの窒素で置換した。
【００３８】
また収容ケースとしては、図３に示した形態のものを、タンクコンテナの蓋体の内側に取り付け、酸素吸収体としては、６０×４５ｍｍのサイズのものを、表１に示す重量となるように、収容ケースに複数収容した。
【００３９】
【表３】
2005035667.tif 000005
【００４０】
【表４】
2005035667.tif 000006
【００４１】
評価の結果、表１に示す通り、ヘッドスペースの割合が２〜２０％（原液の充填量が８０〜９８％）の実施例１〜６は、原液の変色および液漏れに関して良好な結果が得られた。特にヘッドスペースの割合が５〜１０％の実施例４，５は優れた結果が得られた。
【００４２】
また、実施例３については、実施例２よりも酸素吸収剤の使用量を増加させたことにより、より優れた変色防止効果が得られた。
更に、実施例７では酸素吸収剤として活性酸化鉄を用いたところ、実施例１〜６についてカテキンを使用した場合と同様に良好な結果が得られた。また実施例８では酸素吸収剤として亜硫酸ナトリウムを用いたが、カテキンおよび活性酸化鉄よりも変色防止の効果はやや弱い結果であった。
【００４３】
一方、比較例１はヘッドスペースが２５％と比較的大きいため、原液の変色防止効果が十分得られなかった。また、比較例３ではヘッドスペースを窒素で置換したが、原液の変色防止効果が十分得られなかった。比較例２では原液がタンク容量に対して１００％充填されているため、液漏れが発生した。
【００４４】
以上示した実験結果により、本発明に係るタンクコンテナについて所定の条件を設定することにより、嫌気性物質を含有する原液を安定に輸送または貯蔵できることが証明された。
【図面の簡単な説明】
【００４５】
【図１】本発明の実施例に係るタンクコンテナの正面図である
【図２】本発明の実施例に係るタンクコンテナの平面図である
【図３】本発明の実施例に係る収容ケースの斜視図である
【図４】本発明の実施例に係る収容ケースの説明図である
【符号の説明】
【００４６】
１・・・タンクコンテナ、  １０・・・タンク本体、
１１・・・タンク胴部、  １２・・・タンク上部、  １３・・・タンク下部、
２０・・・蓋体、  ３０，３０ａ，３０ｂ，３０ｃ，３０ｄ・・・収容ケース、
３１ａ・・・篭型本体、  ３２ｂ・・・板状突出部、
３２ａ，３４ａ・・・棒状突出体、  ３５ａ・・・網目、  
３６ｄ・・・取り替え扉  
【図１】
2005035667.tif 000007
【図２】
2005035667.tif 000008
【図３】
2005035667.tif 000009
【図４】
2005035667.tif 000010
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
タンクコンテナを用いる酸化染毛剤第１剤の輸送方法であって、
前記タンクコンテナは、酸化染毛剤第１剤を収容するためのタンク本体と、該タンク本体の上端に設けられた開口部と、該開口部を閉塞するための蓋体と、酸素吸収剤を封入した袋状の酸素吸収体を複数収容するための収容ケースとを備え、
前記酸化染毛剤第１剤は、酸化染料中間体、カップラー、及び配合量が０．５〜５重量％であるＨＬＢ１６以上の非イオン性界面活性剤を含有し、
前記収容ケースは、前記タンク本体の開口部近傍又は前記蓋体に取り付けられ、前記収容ケースの少なくとも一部は、通気性を有する網目構造からなることを特徴とする輸送方法。
【手続補正２】
【補正対象書類名】明細書
【補正対象項目名】０００６
【補正方法】変更
【補正の内容】
【０００６】
上記課題に鑑みてなされた本願請求項１記載の発明は、タンクコンテナを用いる酸化染毛剤第１剤の輸送方法であって、前記タンクコンテナは、酸化染毛剤第１剤を収容するためのタンク本体と、該タンク本体の上端に設けられた開口部と、該開口部を閉塞するための蓋体と、酸素吸収剤を封入した袋状の酸素吸収体を複数収容するための収容ケースとを備え、前記酸化染毛剤第１剤は、酸化染料中間体、カップラー、及び配合量が０．５〜５重量％であるＨＬＢ１６以上の非イオン性界面活性剤を含有し、前記収容ケースは、前記タンク本体の開口部近傍又は前記蓋体に取り付けられ、前記収容ケースの少なくとも一部は、通気性を有する網目構造からなることを特徴とする。
【手続補正３】
【補正対象書類名】明細書
【補正対象項目名】０００８
【補正方法】変更
【補正の内容】
【０００８】
上記構成によれば、酸素吸収剤が収容された上記収容ケースを装着するだけで、酸化染毛剤第１剤の変色又は劣化が防止され、当該原液を安定に輸送することができる。また、従来行っていた原液のオーバフロー、あるいは、不活性ガスによる置換等を行う必要がなく、低コストで酸化染毛剤第１剤の品質を良好に保持することができる。
【手続補正４】
【補正対象書類名】明細書
【補正対象項目名】０００９
【補正方法】変更
【補正の内容】
【０００９】
また、上記網目構造は、少なくともその一部が波形状に形成されることが好ましい。このような構成をとれば、網目構造の表面積が大きくなるため、収容ケース内に収容した酸素吸収体とヘッドスペース内の酸素との接触面積を大きくとることができる。このため、酸素吸収剤による酸素吸収効率が高められるという効果が得られる。
【手続補正５】
【補正対象書類名】明細書
【補正対象項目名】００１０
【補正方法】変更
【補正の内容】
【００１０】
更に、上記収容ケースの側面又は底面に、開閉可能な取り替え扉を設けたものでもよい。このような構成をとれば、酸素吸収体の取り替えの際に収容ケースを蓋体等からいちいち取り外す必要がなくなり、当該取り替え扉を開閉するだけで、取り替え作業が容易に行われる。
【手続補正６】
【補正対象書類名】明細書
【補正対象項目名】００１１
【補正方法】変更
【補正の内容】
【００１１】
また、上記網目の大きさ（網目の空間部分の最大長の部分）は、上記酸素吸収体の短辺の長さの７０％以下の大きさに形成されることが好ましい。酸素吸収体が網目から脱落するのを確実に防止するためである。
【手続補正７】
【補正対象書類名】明細書
【補正対象項目名】００１２
【補正方法】変更
【補正の内容】
【００１２】
上記タンクコンテナに酸化染毛剤第１剤を注入する際には、上記酸化染毛剤第１剤の液面と上記蓋体の内面との間にヘッドスペースを確保し、このヘッドスペースに上記収容ケースが位置するようにする。好ましくは、上記ヘッドスペースの容量が、上記タンク本体の全容量の２〜２０％の容量となるように、上記酸化染毛剤第１剤を上記タンク本体に注入するとよい。この場合、上記タンク本体には酸化染毛剤第１剤が全容量の８０〜９８％の容量で注入される。
【手続補正８】
【補正対象書類名】明細書
【補正対象項目名】００１３
【補正方法】変更
【補正の内容】
【００１３】
このように酸化染毛剤第１剤の量を設定するのは、上記ヘッドスペースの容量がタンク本体の全容量の２０％を越えると、酸素吸収剤の所要量が膨大となって不経済となり、しかもその効果が十分得られなくなるからであり、一方、ヘッドスペースの容量がタンク本体の全容量の２％を下回ると、酸化染毛剤第１剤輸送時の揺動により液漏れの恐れがあるからである。このように、タンクコンテナに収容する酸化染毛剤第１剤の量を調整することにより、当該酸化染毛剤第１剤を安定かつ経済的に輸送することができる。